(57)【要約】【課題】生体情報モニタに撮像ユニット（カメラや超音波プローブ）を接続する形態において、画像ファイルを適切に分類して管理することができる生体情報モニタ、生体情報システム、及びプログラムを提供すること。【解決手段】生体情報モニタ１０は、撮像ユニット２０と接続可能である。フォルダ作成部１４１は、第１イベントが生じた場合にファイルシステム上の第１階層に新たな第１フォルダを作成し、第２イベントが生じた場合に直近に生成した第１フォルダ内に第２フォルダを作成する。ファイル操作部１４２は、撮像ユニット２０から入力された画像情報に係る画像ファイルを、フォルダ作成部１４１が直近に作成した第２フォルダに格納する。【選択図】図３
2019095871.tif 000002
【特許請求の範囲】
【請求項１】
撮像ユニットと接続可能な生体情報モニタであって、
第１イベントが生じた場合にファイルシステム上の第１階層に新たな第１フォルダを作成し、第２イベントが生じた場合に直近に生成した前記第１フォルダ内に第２フォルダを作成するフォルダ作成部と、
前記撮像ユニットから入力された画像情報に係る画像ファイルを、前記フォルダ作成部が直近に作成した前記第２フォルダに格納するファイル操作部と、
を有する生体情報モニタ。
【請求項２】
前記フォルダ作成部は、前記第１フォルダを生成する際に、前記生体情報モニタが監視している患者を識別できる情報を用いてフォルダ名を設定する、ことを特徴とする請求項１に記載の生体情報モニタ。
【請求項３】
前記フォルダ作成部は、前記第２フォルダを生成する際に、現在時刻の情報又は作成順序を識別できる情報を用いてフォルダ名を設定する、ことを特徴とする請求項１または請求項２に記載の生体情報モニタ。
【請求項４】
前記ファイル操作部は、前記画像ファイルを格納する際に、前記画像ファイルの撮像時点におけるバイタルサインのデータを保存する、ことを特徴とする請求項１〜３のいずれか１項に記載の生体情報モニタ。
【請求項５】
前記第１イベントは、前記生体情報モニタが監視対象とする患者が変更されたことを示すイベントである、ことを特徴とする請求項１〜４のいずれか１項に記載の生体情報モニタ。
【請求項６】
前記第２イベントは、新たな一連の撮像が開始したことを示すイベントである、ことを特徴とする請求項１〜５のいずれか１項に記載の生体情報モニタ。
【請求項７】
前記撮像ユニットは、超音波画像にかかる情報を取得する超音波プローブヘッド、及び周辺の画像情報を取得するカメラ、を有する、ことを特徴とする請求項１〜６のいずれか１項に記載の生体情報モニタ。
【請求項８】
前記フォルダ作成部は、新規のフォルダを作成する際に同一階層にあるフォルダを書込み禁止に設定する、ことを特徴とする請求項１〜７のいずれか１項に記載の生体情報モニタ。
【請求項９】
前記ファイル操作部は、前記画像ファイルの属性情報やフォルダ構成の情報を保存する、ことを特徴とする請求項１〜８のいずれか１項に記載の生体情報モニタ。
【請求項１０】
患者のバイタルサインを測定する生体情報モニタと、撮像画像を生成して前記生体情報モニタに供給する撮像ユニットと、を備え、
前記生体情報モニタは、
第１イベントが生じた場合にファイルシステム上の第１階層に新たな第１フォルダを作成し、第２イベントが生じた場合に直近に生成した前記第１フォルダ以下に第２フォルダを作成するフォルダ作成部と、
前記撮像ユニットから入力された画像情報に係る画像ファイルを、前記フォルダ作成部が直近に作成した前記第２フォルダに格納するファイル操作部と、を有する、生体情報管理システム。
【請求項１１】
撮像ユニットと接続可能な生体情報モニタに、
第１イベントが生じた場合にファイルシステム上の第１階層に新たな第１フォルダを作成し、第２イベントが生じた場合に直近に生成した前記第１フォルダ内に第２フォルダを作成するフォルダ作成ステップと、
前記撮像ユニットから入力された画像情報に係る画像ファイルを、直近に作成した前記第２フォルダに格納するファイル操作ステップと、を実行させるプログラム。
【発明の詳細な説明】
【技術分野】
【０００１】
本発明は画像ファイルを扱う生体情報モニタ、生体情報管理システム、及びプログラムに関する。
【背景技術】
【０００２】
被験者の胸部や腹部等の状態を把握するために超音波検査装置が広く用いられている。近年では、超音波検査に加えて被験者の各種のバイタルサイン（血圧、体温、呼吸、脈拍数、動脈血酸素飽和度、等）を同時に測定する構成も提案されている。
【０００３】
例えば特許文献１では、生体情報モニタに対して超音波プローブヘッドを接続可能なシステムが開示されている（特許文献１のＦｉｇ．１）。当該システムは、超音波プローブヘッドが取得した超音波画像と被験者の生体パラメータ（バイタルサイン）の双方を同時に処理することができる。
【先行技術文献】
【特許文献】
【０００４】
【特許文献１】国際公開第２００９／１３８９０２号パンフレット
【発明の概要】
【発明が解決しようとする課題】
【０００５】
特許文献１のように生体情報モニタに撮像ユニット（超音波プローブヘッドや撮像カメラ）を接続した形態は、バイタルサインを参照する環境において手軽に撮像画像を参照できる。そのため当該形態は、様々なサイト（例えば手術室、ＩＣＵ（Intensive Care Unit）、一般病棟、検査室）で利用され得る。利用サイトが多岐にわたるため、生体情報モニタが監視対象とする患者が頻繁に変わる場合や撮像により得られた画像ファイルを整理する時間が十分に取れない場合（例えば救急現場で使用される場合）がある。このような場合、生体情報モニタ内のファイルシステムにおいて各画像ファイルが適切に分類されて保存されず、撮像から時間が経過した後に所望の画像ファイルを参照することが難しい（撮像画像を見つけだすのが難しい）という問題があった。
【０００６】
よって本発明は、生体情報モニタに撮像ユニット（カメラや超音波プローブ）を接続する形態において、画像ファイルを適切に分類して管理することができる生体情報モニタ、生体情報システム、及びプログラムを提供することを主たる目的とする。
【課題を解決するための手段】
【０００７】
本発明にかかる生体情報モニタの一態様は、
撮像ユニットと接続可能な生体情報モニタであって、
第１イベントが生じた場合にファイルシステム上の第１階層に新たな第１フォルダを作成し、第２イベントが生じた場合に直近に生成した前記第１フォルダ内に第２フォルダを作成するフォルダ作成部と、
前記撮像ユニットから入力された画像情報に係る画像ファイルを、前記フォルダ作成部が直近に作成した前記第２フォルダに格納するファイル操作部と、
を有する、ものである。
【０００８】
上述の構成の生体情報モニタは、第１イベントと第２イベントが生じる毎に新たなフォルダを作成し、画像ファイルを直近に作成した第２フォルダに格納する。すなわち生体情報モニタは、第１イベントと第２イベントに応じたフォルダ構成を生成し、直近の第２イベントに応じた位置に画像ファイルを格納する。イベントに応じたフォルダ構成と画像ファイルの格納が実現されるため、ユーザは容易に画像ファイルにアクセスすることが可能になる。
【発明の効果】
【０００９】
本発明は、生体情報モニタに撮像ユニット（カメラや超音波プローブ）を接続する形態において、画像ファイルを適切に分類して管理することができる生体情報モニタ、生体情報システム、及びプログラムを提供することができる。
【図面の簡単な説明】
【００１０】
【図１】実施の形態１にかかる生体情報管理システム１の外観を示すイメージ図である。
【図２】実施の形態１にかかる生体情報管理システム１の一利用態様を示す図である。
【図３】実施の形態１にかかる生体情報管理システム１の構成を示すブロック図である。
【図４】実施の形態１にかかる生体情報モニタ１０内のファイルシステムを示す概念図である。
【発明を実施するための形態】
【００１１】
＜実施の形態１＞
以下、図面を参照して本発明の実施の形態について説明する。図１は、本実施の形態に係る生体情報管理システム１の外観を示すイメージ図である。生体情報管理システム１は、生体情報モニタ１０と、生体情報モニタ１０に着脱可能な撮像ユニット２０と、を有する。生体情報モニタ１０は、ベッドサイドモニタ、携帯型の医用テレメータ、心電図等の測定機能付きの除細動器、等を含む概念である。すなわち生体情報モニタ１０は、バイタルサインを測定する種々の医療装置と解釈できる。以下の説明では、生体情報モニタ１０がいわゆるベッドサイドモニタであるものとして説明を行う。本例では撮像ユニット２０は、超音波に関する画像情報を取得可能な超音波プローブヘッド２１と、カメラ付きのリモートコントローラ２２と、を有する構成である。なお撮像ユニット２０は、何らかの画像を取得可能な撮像機能を有するものであれば他の形態（例えば超音波プローブヘッド２１のみの形態）であってもよい。
【００１２】
図２は、本実施の形態に係る生体情報管理システム１の一利用態様を示す図である。本例では生体情報モニタ１０が壁掛け式の形態を示している。
【００１３】
生体情報モニタ１０は、患者Ｐに接続された各種のセンサ３０（図３において後述）からの生体信号を基に、各種のバイタルサインを測定する。ここで患者Ｐに接続されるセンサ３０は、バイタルサインの測定に用いる各種センサである。例えばセンサ３０は、血圧測定に用いるカフ、心電図測定等に用いる電極（ディスポ電極、クリップ電極、等）、ＳｐＯ２プローブ、呼吸測定用のマスク、等を含む。また測定対象となるバイタルサインは、例えば血圧、体温、呼吸数、動脈血酸素飽和度、心電図、脈拍数である。
【００１４】
図２の例では看護師Ｎがリモートコントローラ２２を左手で把持しながら右手で超音波プローブヘッド２１を操作して患者Ｐの腹部の超音波画像を取得している。生体情報モニタ１０は、超音波プローブヘッド２１が取得した超音波画像１０１やリモートコントローラ２２が撮像した撮像画像１０２をディスプレイに表示している。なお生体情報モニタ１０は、この他に患者Ｐの各種のバイタルサイン（血圧、体温、呼吸、脈拍、動脈血酸素飽和度、等）の測定波形をバイタルサインの測定値と共にディスプレイに表示してもよい。
【００１５】
なお撮像ユニット２０は、生体情報モニタ１０と接続可能な構成であればよい。すなわち撮像ユニット２０は、図示するような有線接続に限られず、無線接続によって生体情報モニタ１０とデータ送受信を行ってもよい。
【００１６】
生体情報モニタ１０は、各種のセンサ３０と接続する接続口（いわゆるコネクタの差込口）を有する。撮像ユニット２０は、当該接続口に着脱可能な装置である。たとえば撮像ユニット２０と生体情報モニタ１０は、ＵＳＢ（Universal Serial Bus）により接続してもよく、その他の任意のコネクタを介して接続してもよい。
【００１７】
続いて図３を参照して、生体情報管理システム１の詳細構成及び動作について説明する。図３は、本実施の形態に係る生体情報管理システム１の構成に着目したブロック図である。センサ３０は、上述のように被験者の生体に接続（例えば貼付）されるバイタルサイン用のセンサである。
【００１８】
撮像ユニット２０は、前述のように超音波プローブヘッド２１とリモートコントローラ２２を有する。超音波プローブヘッド２１は、患者の腹部等に押し当てられ、超音波を送受信する。超音波プローブヘッド２１は、被験者の体表に当接して超音波ビームを照射し、当該体表からの反射波を示す信号を受信する。そして超音波プローブヘッド２１は、反射波信号（画像信号）を生体情報モニタ１０に供給する。なお超音波プローブヘッド２１は、反射波信号に各種の信号処理を行って生成したデジタルデータ（超音波画像データ）や画像ファイルそのものを生体情報モニタ１０に供給してもよい。すなわち超音波プローブヘッド２１は、超音波診断に係る画像情報（画像信号、超音波画像データ、画像ファイル）を生体情報モニタ１０に送信すればよい。超音波プローブヘッド２１は、超音波ビームの送受信に必要な各種の回路やプロセッサ等を内蔵している。
【００１９】
リモートコントローラ２２は、生体情報モニタ１０及び超音波プローブヘッド２１への各種の設定を行うためのインターフェイス（例えばボタン）を有する。リモートコントローラ２２は、入力に応じた各種の制御信号を生体情報モニタ１０及び超音波プローブヘッド２１に送信する。更にリモートコントローラ２２は、カメラ機能を有し、周辺を撮像可能に構成されている。すなわちリモートコントローラ２２の筐体上にはレンズや撮影ボタン等が設けられ、各種の画像処理機能が内蔵されている。リモートコントローラ２２は、カメラ撮像にかかる画像情報（画像信号、撮像画像データ、画像ファイル）を生体情報モニタ１０に送信する。
【００２０】
生体情報モニタ１０は、入出力インターフェイス１１、通信部１２、操作インターフェイス１３、プロセッサ１４、スピーカ１５、表示部１６、メモリ１７、及びハードディスク１８を備える。なお生体情報モニタ１０は、図示しない周辺回路等のハードウェアや内部時計等も適宜備える。
【００２１】
入出力インターフェイス１１は、上述の接続口及びその周辺回路等である。入出力インターフェイス１１は、センサ３０及び撮像ユニット２０から受信した信号をプロセッサ１４に供給する。また入出力インターフェイス１１は、生体情報モニタ１０からセンサ３０または撮像ユニット２０に対して信号を送信する。
【００２２】
通信部１２は、他の装置（例えば同一院内のセントラルモニタ）とのデータの送受信を行う。通信部１２は、例えば無線ＬＡＮ（Local Area Network）等にかかる通信規格を満たすものであれば良い。なお通信部１２は、有線ケーブルを用いて通信処理を行ってもよい。
【００２３】
ユーザ（主に医師や看護士）は、操作インターフェイス１３を介して生体情報モニタ１０に対する入力を行う。操作インターフェイス１３は、例えば生体情報モニタ１０の筐体上に設けられたボタン、ツマミ、回転型セレクタ、キー、等である。操作インターフェイス１３を介した入力は、プロセッサ１４に供給される。
【００２４】
スピーカ１５は、アラームをはじめとする各種の報知音を出力する。スピーカ１５は、プロセッサ１４の制御に応じて報知を行う。
【００２５】
表示部１６は、生体情報モニタ１０の筐体上に設けられたディスプレイ及びその周辺回路等である。表示部１６は、プロセッサ１４の制御に応じて各種バイタルサインの測定波形、測定値、超音波画像等を表示する。また表示部１６は、プロセッサ１４の制御に応じて撮像ユニット２０が撮像した各種の画像（超音波画像、周辺画像）を表示する。
【００２６】
なお操作インターフェイス１３と表示部１６は、一体となった構成（いわゆるタッチパネルのような構成）であってもよい。
【００２７】
メモリ１７は、プロセッサ１４がプログラムを実行する際のワーキングエリアとして作用する。ハードディスク１８は、各種のプログラム（システムソフトウェア、及び各種のアプリケーションソフトウェアを含む）やデータ（バイタルサインの測定値や測定波形を含む測定データ、測定データを測定した日時、後述の超音波画像、周辺画像等を含む）を記憶する。なおハードディスク１８は、生体情報モニタ１０に内蔵されていてもよく、外付けの形態であってもよい。
【００２８】
プロセッサ１４は、生体情報モニタ１０の動作制御（センサ３０を介した測定の制御、各種設定の反映、超音波画像の取り込み、バイタルサインの測定値の記録、表示部１６への表示制御等）を行う。プロセッサ１４の処理は、ハードディスク１８から読み出したプログラムをメモリ１７により展開して実行することにより実現される。
【００２９】
ここでプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００３０】
なおプロセッサ１４の処理の一部や周辺処理は、図示しない電子回路によって実現されてもよい。プロセッサ１４におけるバイタルサインの表示等の処理は、一般的な生体情報モニタと同様である。
【００３１】
プロセッサ１４内のフォルダ作成部１４１及びファイル操作部１４２は、ファイルシステム上のフォルダ作成管理や画像ファイルの格納制御を行う。以下、詳細を図４を適宜参照しつつ説明する。
【００３２】
フォルダ作成部１４１は、第１イベントが生じた場合にファイルシステム上の第１階層に新たな第１フォルダを作成する。ここで第１イベントとは、生体情報モニタ１０が監視（測定）する患者の変更に関するイベントである。当該イベントは、例えば新規患者の入床処理（生体情報モニタ１０の入床ボタン操作やそれに伴う患者情報の入力操作の完了、患者情報（患者名、性別、等）の更新、一定期間以上（例えば１月以上）の電源オフを経過した後の電源オン、等）や新規患者に関する検査開始ボタンの押下等である。フォルダ作成部１４１は、操作インターフェイス１３の入力等に応じて第１イベントを検出する。このような第１イベントが生じた場合、フォルダ作成部１４１は、ファイルシステム上の特定階層（第１階層）に新たなフォルダ（第１フォルダ）を作成する。図４の例では、フォルダ作成部１４１は、監視対象を患者Ａに変更するイベントが生じた場合に“/echo/”（第１階層）に新たなフォルダを作成する。なお患者の変更に関するイベントが生じた場合にフォルダを作成する階層（第１階層、図４の例では“/echo/”）は、ユーザが任意に指定できてもよい。
【００３３】
フォルダ作成部１４１は、このフォルダの作成の際に、生体情報モニタ１０が新たに監視対象とする患者を識別する情報を用いてフォルダ名を設定することが望ましい。患者を識別する情報とは、例えば入床処理の際に入力された名前（姓名）、患者ＩＤ、患者属性（年齢や性別を組み合わせたもの）、入床日時、生体情報モニタ１０のＩＤ、等であればよい。図４の例ではフォルダ作成部１４１は、“/echo/”内に“患者A”というフォルダを作成している。
【００３４】
フォルダ作成部１４１は、第２イベントが生じた場合に直近に生成した第１フォルダ内に第２フォルダを作成する。ここで第２イベントとは、新たな一連の撮像（超音波による撮像とカメラ撮像の双方を含む）が始まったことを示す任意のイベントであればよい。例えば第２イベントは、“前回の撮像ユニット２０からの画像情報の入力から一定時間以上（例えば１５分以上）経過した後に画像情報が入力されたこと”、“撮像終了ボタンの押下の後に再度の撮像が生じたこと”、“直前に作成された第１フォルダ内にフォルダが無い状態で画像情報が入力されたこと（図４の例では“患者Ａ”フォルダ内に一つもフォルダが無い状態）”、等である。フォルダ作成部１４１は、オペレーティングシステムが管理する日時情報を適宜参照して前回の画像情報の入力時間を記憶しておく（ハードディスク１８に書き込んでおく）こと等により、第２イベントの発生を検出すればよい。またフォルダ作成部１４１は、画像情報の入力毎にリセットするカウンタを参照して第２イベントの発生を検出してもよい。
【００３５】
図４の例において、第２イベントが生じる直近に“/echo/”内に作成されたフォルダが“患者A”であるとする。フォルダ作成部１４１は、第２イベントが生じた際に“患者A”フォルダ内に新たなフォルダ（第２フォルダ）を作成する。
【００３６】
フォルダ作成部１４１は、このフォルダの作成の際に現在日時または撮像順序を特定できる情報を用いてフォルダ名を設定することが望ましい。図４の例ではフォルダ作成部１４１は、現在の日時（例えば平成２９年７月７日１２時２４分３６秒）を示す“H290707_122436”をフォルダ名に設定している。なおフォルダ作成部１４１は、“患者A_1”、“患者A_2”のように“患者A”フォルダ内での作成順序が分かる通し番号等を含む名称をフォルダ名に設定してもよい。
【００３７】
続いてファイル操作部１４２の動作について説明する。撮像ユニット２０から画像情報（画像信号、撮像画像データ、画像ファイル）が生体情報モニタ１０に入力される。プロセッサ１４は、画像信号や撮像画像データが入力された場合にはこれらを基に画像ファイル（例えばビットマップファイル）を作成する。
【００３８】
ファイル操作部１４２は、画像ファイル（例えばビットマップファイル）をファイルシステム上のフォルダに格納する。詳細にはファイル操作部１４２は、フォルダ作成部１４１が直近に作成した第２フォルダ（第２イベントの発生により生成したフォルダ）に画像ファイルを格納する。ここでフォルダ作成部１４１は、ファイル操作部１４２の画像ファイルの格納に先立ち、当該画像ファイルにかかる画像情報の入力が第２イベントに該当する場合に上述の第２フォルダの作成を行う。すなわち画像情報が入力された場合、フォルダ作成部１４１は当該入力が第２イベントに該当する場合には第２フォルダを作成し、ファイル操作部１４２はその後に画像ファイルの格納を行う。なお画像情報の入力が第２イベントに該当しない場合、ファイル操作部１４２はそのまま画像ファイルの格納を行う。
【００３９】
図４において直近作成した第２フォルダが“/echo/患者A/H290707_122436”である場合、ファイル操作部１４２は画像ファイル“超音波_1.png”を“/echo/患者A/H290707_122436”内に格納する。なおファイル操作部１４２は、画像ファイルの撮像日時、撮像モード（Ｂモード、Ｍモード、等）、撮像順序、等の情報を撮像ユニット２０から適宜取得し、取得した情報を用いてファイル名を設定してもよい。
【００４０】
なおファイル操作部１４２は、画像ファイルを格納する際に、画像ファイルの撮像時点におけるバイタルサインのデータが書き込まれたバイタルサインファイル（図４の例では“バイタル.csv”）も合わせて格納してもよい。バイタルサインファイルのファイルフォーマットは任意のものでよく、例えばＣＳＶファイルのみならずＸＭＬファイル等であってもよい。当該バイタルサインのファイルには、例えば撮像時点における患者の血圧、呼吸数、体温等が記載される。例えばファイル操作部１４２は、画像ファイルの属性情報から撮像日時を読み出し、当該撮像日時に対応するバイタルサインのデータをハードディスク１８から読みだしてバイタルサインファイルを作成すればよい。なおバイタルサインファイルを作成する代わりに、ファイル操作部１４２は撮像時のバイタルサインのデータを画像ファイル内に埋め込んでもよい（“体温＝３６．０°”といった情報を撮像画像に重ねて記載してもよい）。またファイル操作部１４２は、患者毎に一つのみバイタルサインファイルを作成し、当該バイタルサインファイルにバイタルサインの測定値を日時情報と関連付けて書き込んでもよい。またファイル操作部１４２は、バイタルサインのデータをファイルのプロパティに設定してもよい。ファイルのプロパティに設定した場合であっても、撮像画像と共に撮像時の患者の状態や撮像条件を把握することができる。すなわちファイル操作部１４２は、撮像時のバイタルサインの測定データを任意のファイル、データベース、ファイルのプロパティ等に保存する形態であればよい。
【００４１】
またファイル操作部１４２は、各画像ファイルの格納時等に画像ファイルの属性情報（例えば超音波プローブヘッド２１の種別、超音波画像のゲイン／デプス、カメラ画像のズーム状態、等の様々な情報）やフォルダ構成（各画像ファイルの格納位置等を含む情報）の情報を設定ファイル（図４における“config.xml”）に書き込んでもよい。なお当該設定ファイルのファイルシステム上での配置位置は任意の位置でよい。またファイル操作部１４２は、各画像ファイルの格納時等に画像ファイルの属性情報やフォルダ構成の情報をデータベース等に書き込んでもよい。すなわちファイル操作部１４２は、各画像ファイルの格納時等に画像ファイルの属性情報やフォルダ構成の情報を任意の形態（ファイル作成、データベース書き込み、等）で保存する構成であれば良い。
【００４２】
図４を参照してフォルダの作成や画像ファイルの格納に関する処理を時系列に沿って説明する。以下の説明における第２イベントは“前回の撮像ユニット２０からの画像情報の入力から一定時間以上（例えば１５分以上）経過した後に画像情報が入力されたこと”であるものとする。
【００４３】
生体情報モニタ１０の監視対象が患者Ａに設定されたとする（第１イベント（監視対象の患者の変更）の発生）。フォルダ作成部１４１は、この第１イベントを検出し、“/echo/”内に“患者A”というフォルダを作成する。
【００４４】
患者Ａに関する超音波検査が平成２９年７月７日１２時２４分３６秒に生じたとする（第２イベント（新たな一連の撮像）の発生）。この超音波検査の開始に関する情報は、例えば新たな画像情報（画像ファイル）の入力日時と前回入力日時の比較を基に判断してもよく、撮像ユニット２０から受信した撮像開始信号等を基に判断してもよい。フォルダ作成部１４１は、この第２イベントを検出し、“/echo/患者A/”内に“H290707_122436”というフォルダを作成する。
【００４５】
当該超音波検査の中で２つの画像ファイル（“超音波_1.png”、“超音波_2.png”）が入力されたとする。ファイル操作部１４２は、直近に作成された上記のフォルダ（“/echo/患者A/ H290707_122436”）に“超音波_1.png”、“超音波_2.png”、及び“バイタル.csv”を格納する。なお“超音波_1.png”の入力から“超音波_2.png”の入力までの時間が短い場合（例えば１５分以内である場合）、第２イベントが生じたとはみなされない。
【００４６】
次に患者Ａに関する新たな超音波検査が平成２９年７月７日１５時１３分２４秒に生じたとする。この場合、前回の撮像（平成２９年７月７日１２時２４分３６秒）から２時間以上経過しているため、第２イベントが生じたと扱われる。フォルダ作成部１４１は、この第２イベントを検出し、“/echo/患者A/”内に“H290707_151324”というフォルダを作成する。
【００４７】
この超音波検査の中で１つの画像ファイル（超音波_1.png”）が生成されたとする。ファイル操作部１４２は、直近に作成された上記のフォルダ（“/echo/患者A/ H290707_151324”）に“超音波_1.png”及び“バイタル.csv”を格納する。
【００４８】
続いて生体情報モニタ１０の監視する患者の変更処理が生じたとする。例えば生体情報モニタ１０の操作インターフェイス１３が操作され、患者Ｂに関する入床処理が行われたとする。換言すると生体情報モニタ１０の監視対象が患者Ａから患者Ｂに変更されたとする（第１イベント（監視対象の患者の変更）の発生）。フォルダ作成部１４１は、この第１イベントを検出し、“/echo/”内に“患者B”というフォルダを作成する。
【００４９】
患者Ｂに関する超音波検査が平成２９年８月１６日９時１２分５３秒に生じたとする（第２イベント（新たな撮像）の発生）。フォルダ作成部１４１は、この第２イベントを検出し、“/echo/患者B/”内に“H290816_091253”というフォルダを作成する。
【００５０】
この超音波検査の中で１つの画像ファイル（超音波_1.png”）が生成されたとする。ファイル操作部１４２は、直近に作成された上記のフォルダ（“/echo/患者B/ H290816_091253”）に“超音波_1.png”及び“バイタル.csv”を格納する。
【００５１】
なおフォルダ作成部１４１によるフォルダの作成は、必ずしもイベントの直後でなくてもよい。例えばフォルダ作成部１４１は、画像ファイルを新たなフォルダに格納することが決まった後にフォルダを作成してもよい。詳細にはフォルダ作成部１４１は、“超音波_1.png”を格納することが決まった後に“患者A”フォルダの作成と“H290707_122436”フォルダの作成を連続的に行ってもよい。すなわちフォルダ作成部１４１は、上記の順序でフォルダを作成するのであれば任意のタイミングでフォルダを作成してよい。
【００５２】
なおフォルダ作成部１４１は、新規のフォルダを作成する際に同一階層にあるフォルダを書込み禁止に設定してもよい。例えばフォルダ作成部１４１は、“/echo/患者A/”内に“H290707_151324”というフォルダを新規作成する場合、“/echo/患者A/”内の他のフォルダ（例えば“/echo/患者A/H290707_122436”）を書込み禁止に設定してもよい。これにより一連の検査が終了した後にファイルの改変が生じなくなり、正確な情報を保持し続けることができる。
【００５３】
図４の説明では、超音波にかかる画像ファイルのみを扱ったが必ずしもこれに限られず、リモートコントローラ２２の撮像に係る画像ファイルも同様に扱えばよい。なお、第１フォルダ内に作成される第２フォルダは複数階層を有していてもよい。例えばフォルダ作成部１４１は、“/echo/患者A/”内に“H290707_122436”というフォルダを作成し、当該フォルダ以下に“超音波画像”フォルダ（“/echo/患者A/ H290707_122436/超音波画像”）と“カメラ画像”フォルダ（“/echo/患者A/ H290707_122436/カメラ画像”）を作成してもよい。この場合にファイル操作部１４２は、超音波画像であるかカメラ画像であるかに応じて画像ファイルをフォルダに格納すれば良い。
【００５４】
続いて本実施の形態に係る生体情報モニタ１０の効果について図４を参照しつつ説明する。フォルダ作成部１４１は、患者変更が生じた場合に、新たな患者に関するフォルダ（“/echo/患者A”、“/echo/患者B”）を作成する。またフォルダ作成部１４１は、新しい一連の撮像が生じた場合に、当該一連の撮像用のフォルダを各患者向けのフォルダ内に作成する（“/echo/患者A/H290707_122436”、“/echo/患者A/H290707_151324”、“/echo/患者B/H290816_091253”）。ファイル操作部１４２は、画像ファイルを各患者向けのフォルダ内（第１フォルダ）の直近に作成したフォルダ内（第２フォルダ、例えば“/echo/患者A/H290707_122436”）に格納する。
【００５５】
すなわちフォルダ作成部１４１は、第１イベント（患者変更）と第２イベント（一連の撮像の開始）が生じる毎に新たなフォルダを作成する。ファイル操作部１４２は、この直近に生じた一連の撮像用のフォルダに画像ファイルを格納する。これにより患者と各種検査が分類されたフォルダ構成が自動生成され、画像ファイルが分類されて格納される。そのため、ユーザ（例えば医師等の医療従事者）は容易に所望の画像ファイルにアクセスすることができる。
【００５６】
また第１階層に作成されるフォルダ（第１フォルダ）のフォルダ名は監視対象の患者の識別情報（例えば“患者A”）を用いた名称となる。まだ第１階層に作成されたフォルダ（第１フォルダ）の内部に作られるフォルダ（第２フォルダ）のフォルダ名は、現在時刻や作成順序が分かる情報を用いた名称となる（例えば“H290707_122436”）。ユーザはフォルダ内の各ファイルがいつ誰の検査（測定）の際に得られたファイルであるかを容易に認識できる。
【００５７】
また撮像時のバイタルサインの測定値を保持するバイタルサインファイル（図４における“バイタル.csv”であり、ファイルフォーマットは任意のものでよい。）も合わせて保存され得る。これを参照することにより、医療従事者は画像撮像時の患者の状態をより詳細に把握できる。
【００５８】
以上、本発明者によってなされた発明を実施の形態に基づき具体的に説明したが、本発明は既に述べた実施の形態に限定されるものではなく、その要旨を逸脱しない範囲において種々の変更が可能であることはいうまでもない。
【００５９】
例えば、上記の説明では第１イベントを前記生体情報モニタが監視対象とする患者が変更されたことを示すイベントとし、第２イベントを新たな一連の撮像が開始したことを示すイベントとしたが、必ずしもこれに限られない。フォルダ作成部は、任意の２種類のイベントを検出し、検出したイベントに応じたフォルダ構成を構築すればよい。これによりイベントに応じたフォルダ構成と画像ファイルの格納が実現されるため、ユーザは容易に画像ファイルにアクセスすることが可能になる。
【符号の説明】
【００６０】
１  生体情報管理システム
１０  生体情報モニタ
１１  入出力インターフェイス
１２  通信部
１３  操作インターフェイス
１４  プロセッサ
１５  スピーカ
１６  表示部
１７  メモリ
１８  ハードディスク
２０  撮像ユニット
２１  超音波プローブヘッド
２２  リモートコントローラ
３０  センサ
【図１】
2019095871.tif 000003
【図２】
2019095871.tif 000004
【図３】
2019095871.tif 000005
【図４】
2019095871.tif 000006